(57)【要約】    【課題】宅配ボックスの使用状態について、居室親機等での宅配表示と宅配ボックスの着荷情報との整合性を図る。    【解決手段】集合玄関に設置される集合玄関機１と、居室に設置される居室親機４ａ、４ｂ、・・・と、集合玄関機および居室親機間を制御する制御装置３と、居住者へ配達された荷物を預かるための宅配ボックス５とを有し、制御装置には、宅配ボックスの使用状況として宅配ボックス情報を取得するための宅配ボックス使用状況確認信号を送付する主制御回路３１と、宅配ボックス情報を受信し、宅配ボックス使用状況確認信号を受信したときには宅配ボックス情報を主制御回路に返信するための宅配ボックス制御回路３２とを備える。    【選択図】図１
2005117429.tif 000002
【特許請求の範囲】
【請求項１】
集合玄関に設置される集合玄関機（１）と、居室に設置される居室親機（４ａ、４ｂ、・・・）と、前記集合玄関機および前記居室親機間を制御する制御装置（３）と、前記居住者へ配達された荷物を預かるための宅配ボックス（５）とを有し、
前記制御装置には、前記宅配ボックスの使用状況として宅配ボックス情報を取得するための宅配ボックス使用状況確認信号を送付する主制御回路（３１）と、前記宅配ボックス情報を受信し、前記宅配ボックス使用状況確認信号を受信したときには前記宅配ボックス情報を前記主制御回路に返信するための宅配ボックス制御回路（３２）とを備えたことを特徴とする集合住宅インターホンシステム。
【請求項２】
前記宅配ボックス使用状況確認信号は、所定の時間間隔で送信されることを特徴とする請求項１記載の集合住宅インターホンシステム。
【請求項３】
管理室に設置される管理室親機（２）を有し、前記管理室親機には、前記宅配ボックス使用状況確認信号を送信させるための要求信号を送信する管理室親機ＣＰＵ（２５）を備えたことを特徴とする請求項１または請求項２記載の集合住宅インターホンシステム。
【請求項４】
前記管理室親機には、集合住宅の全居室についての前記宅配ボックス使用状況確認信号を送信させるための管理室親機操作信号送出回路（２４１）を備えたことを特徴とする請求項１乃至請求項３何れか１項記載の集合住宅インターホンシステム。
【請求項５】
前記管理室親機には、集合住宅内の指定した居室のみについての前記宅配ボックス使用状況確認信号を送信させるための前記管理室親機操作信号送出回路（２４１）を備えたことを特徴とする請求項１乃至請求項４何れか１項記載の集合住宅インターホンシステム。
【請求項６】
前記居室親機には、前記宅配ボックス使用状況確認信号を送信させるための要求信号を送信する居室親機ＣＰＵ（４５）を備えたことを特徴とする請求項１乃至請求項５何れか１項記載の集合住宅インターホンシステム。
【請求項７】
前記居室親機には、自居室のみについての前記宅配ボックス使用状況確認信号を送信させるための居室親機操作信号送出回路（４４１）を備えたことを特徴とする請求項１乃至請求項６何れか１項記載の集合住宅インターホンシステム。
【請求項８】
前記居室親機には、前記宅配ボックス使用状況確認信号により取得した前記宅配ボックス情報を表示するための居室親機表示部（４１）を備えたことを特徴とする請求項１乃至請求項７何れか１項記載の集合住宅インターホンシステム。
【請求項９】
前記宅配ボックス制御回路は、前記宅配ボックスから順次送信される宅配ボックス情報を受信し、受信前の宅配ボックス情報を最新の宅配ボックス情報として更新するものであることを特徴とする請求項１乃至請求項８何れか１項記載の集合住宅インターホンシステム。
【請求項１０】
前記宅配ボックス制御回路は、前記宅配ボックス制御回路がリセットされたとき前記宅配ボックスに対して最新の宅配ボックス情報を取得するための宅配ボックス情報更新要求信号を送信し、前記宅配ボックス情報更新要求信号により送信された宅配ボックス情報を最新の宅配ボックス情報として更新するものであることを特徴とする請求項１乃至請求項８何れか１項記載の集合住宅インターホンシステム。
【発明の詳細な説明】
【技術分野】
【０００１】
本発明は、集合住宅インターホンシステムに係り、特に宅配ボックスの使用状態について、居室親機等での宅配表示と宅配ボックスの着荷情報との整合性を図ることができる集合住宅インターホンシステムに関する。
【背景技術】
【０００２】
従来から、この種の集合住宅インターホンシステムとして、集合住宅のエントランスに設置されるＩＤ読取器を有する集合玄関機と、エントランスの近傍に設置され配達物の入荷や部屋番号等の宅配ボックス情報を送信する宅配ボックスと、管理室等の共用部に設置される制御装置と、居室内に設置される居室親機とから成るものが知られている（例えば、特許文献１参照）。
【０００３】
このような集合住宅インターホンシステムにおいて、集合玄関機は、宅配ボックスからの宅配ボックス情報を表示するための表示部と、宅配ボックス情報の音声アナウンス信号を出力するための音声合成回路と、制御装置から宅配ボックス情報を受信し表示部および音声合成回路を制御するための集合玄関機ＣＰＵと、宅配ボックス情報を音声アナウンスするための集合玄関機スピーカとを有し、居室親機は、宅配ボックス情報を表示するための表示部と、宅配ボックス情報の音声アナウンス信号を出力するための音声合成回路と、制御装置からの宅配ボックス情報を受信し表示部および音声合成回路を制御するための居室親機ＣＰＵと、宅配ボックス情報を音声アナウンスするための居室親機スピーカとを有し、制御装置は、ＩＤ読取器で読み込んだＩＤデータにより得られた該当する部屋番号と宅配ボックスからの宅配ボックス情報とを照合し、該当する部屋番号の宅配ボックス情報をＩＤ読取器でＩＤ情報を確認した該当する集合玄関機および該当する部屋番号の居室親機にそれぞれ送信制御する制御装置ＣＰＵを有している。
【０００４】
このような構成の集合住宅インターホンシステムによれば、宅配ボックスと連動し集合玄関機や居室親機で宅配ボックスに配達された荷物の到着期日や滞留警告、若しくは荷物が着荷されている宅配ボックスの場所を確認することができる。
【０００５】
しかしながら、このような構成の集合住宅インターホンシステムにおいて、停電などにより制御装置の電源がＯＦＦとなった場合や制御装置をリセットしている際に、宅配ボックスに配達物を入荷したり、宅配ボックスから配達物を取り出したりすると、部屋番号を含有する宅配ボックス情報や部屋番号を含有する宅配取出信号が正常に送信されず、ひいては居室親機の宅配表示と宅配ボックスの使用状態が不一致になる虞があった。
【０００６】
また、居室親機の宅配表示と実際の宅配ボックスの使用状態が不一致になった場合、居室親機に正常な宅配表示をさせるためには制御装置を完全にリセットしなければならないという難点があった。
【０００７】
【特許文献１】特開２００２−０５１１５５号公報（段落番号「００１４」、「００２８」、図１〜図４）
【発明の開示】
【発明が解決しようとする課題】
【０００８】
本発明は、このような難点を解決するためになされたもので、万が一居室親機等の宅配表示と実際の宅配ボックスの使用状態が不一致になった場合でも、居室親機等の宅配表示を正常な状態に復旧することができる集合住宅インターホンシステムを提供することを目的としている。
【課題を解決するための手段】
【０００９】
本発明の第１の態様である集合住宅インターホンシステムは、集合玄関に設置される集合玄関機と、居室に設置される居室親機と、集合玄関機および居室親機間を制御する制御装置と、居住者へ配達された荷物を預かるための宅配ボックスとを有し、制御装置には、宅配ボックスの使用状況として宅配ボックス情報を取得するための宅配ボックス使用状況確認信号を送付する主制御回路と、宅配ボックス情報を受信し、宅配ボックス使用状況確認信号を受信したときには宅配ボックス情報を主制御回路に返信するための宅配ボックス制御回路とを備えたものである。
【００１０】
本発明の第２の態様は、第１の態様である集合住宅インターホンシステムにおいて、宅配ボックス使用状況確認信号は、所定の時間間隔で送信されるものである。
【００１１】
本発明の第３の態様は、第１または第２の各態様である集合住宅インターホンシステムにおいて、管理室に設置される管理室親機を有し、管理室親機には、宅配ボックス使用状況確認信号を送信させるための要求信号を送信する管理室親機ＣＰＵを備えたものである。
【００１２】
本発明の第４の態様は、第１乃至第３の各態様である集合住宅インターホンシステムにおいて、管理室親機には、集合住宅の全居室についての宅配ボックス使用状況確認信号を送信させるための管理室親機操作信号送出回路を備えたものである。
【００１３】
本発明の第５の態様は、第１乃至第４の各態様である集合住宅インターホンシステムにおいて、管理室親機には、集合住宅内の指定した居室のみについての宅配ボックス使用状況確認信号を送信させるための管理室親機操作信号送出回路を備えたものである。
【００１４】
本発明の第６の態様は、第１乃至第５の各態様である集合住宅インターホンシステムにおいて、居室親機には、宅配ボックス使用状況確認信号を送信させるための要求信号を送信する居室親機ＣＰＵを備えたものである。
【００１５】
本発明の第７の態様は、第１乃至第６の各態様である集合住宅インターホンシステムにおいて、居室親機には、自居室のみについての宅配ボックス使用状況確認信号を送信させるための居室親機操作信号送出回路を備えたものである。
【００１６】
本発明の第８の態様は、第１乃至第７の各態様である集合住宅インターホンシステムにおいて、居室親機には、宅配ボックス使用状況確認信号により取得した宅配ボックス情報を表示するための居室親機表示部を備えたものである。
【００１７】
本発明の第９の態様は、第１乃至第８の各態様である集合住宅インターホンシステムにおいて、宅配ボックス制御回路は、宅配ボックスから順次送信される宅配ボックス情報を受信し、受信前の宅配ボックス情報を最新の宅配ボックス情報として更新するものである。
【００１８】
本発明の第１０の態様は、第１乃至第９の各態様である集合住宅インターホンシステムにおいて、宅配ボックス制御回路は、宅配ボックス制御回路がリセットされたとき宅配ボックスに対して最新の宅配ボックス情報を取得するための宅配ボックス情報更新要求信号を送信し、宅配ボックス情報更新要求信号により送信された宅配ボックス情報を最新の宅配ボックス情報として更新するものである。
【発明の効果】
【００１９】
本発明の第１乃至第１０の各態様である集合住宅インターホンシステムによれば、制御装置に宅配ボックスの使用状況として宅配ボックス情報を取得するための宅配ボックス使用状況確認信号を送付する主制御回路と、宅配ボックス情報を受信し、宅配ボックス使用状況確認信号を受信したときには宅配ボックス情報を主制御回路に返信するための宅配ボックス制御回路とを備えていることから、宅配ボックス制御回路がリセットされても、宅配ボックス情報を最新の宅配ボックス情報として更新することができ、ひいては、居室親機の宅配表示と実際の宅配ボックスの使用状態が不一致になった場合でも、居室親機の宅配表示を正常な状態に復旧することができる。
【発明を実施するための最良の形態】
【００２０】
以下、本発明の集合住宅インターホンシステムを適用した好ましい実施の形態例について、図面を参照して説明する。ここで、図１は、本発明の一実施例における集合住宅インターホンシステムのシステム構成図、図２は、同実施例における管理室親機のブロック図、図３は、同実施例における居室親機のブロック図を示している。
【００２１】
図１において、本発明の集合住宅インターホンシステムは、集合玄関に設置され、ＬＣＤ等から成る集合玄関機表示部１１、集合玄関機拡声スピーカ１２および集合玄関機マイク１３を有する集合玄関機１と、管理室に設置される管理室親機２と、複数の居室にそれぞれ設置される居室親機４ａ、４ｂ、・・・と、集合玄関の近傍に設置され、集合玄関機１および居室親機４ａ、４ｂ、・・・間を制御する制御装置３と、居住者へ配達された荷物を預かるための宅配ボックス５とを備えている。ここで、制御装置３は、第１の接続線Ｌ１を介して集合玄関機１に、第２の接続線Ｌ２を介して管理室親機２に、第３の接続線Ｌ３を介して各居室親機４ａ、４ｂ、・・・に、第４の接続線Ｌ４を介して宅配ボックス５にそれぞれ接続されている。
【００２２】
制御装置３は、主制御回路３１、宅配ボックス制御回路３２（以下「制御装置宅配ボックス制御回路３２」という。）および第１〜第４の通信回路３３ａ〜３３ｄの各部（回路）を備えている。ここで、主制御回路３１は、制御装置宅配ボックス制御回路３２および第１〜第３の通信回路３３ａ〜３３ｃに接続され、制御装置宅配ボックス制御回路３２には第４の通信回路３３ｄが接続されている。
【００２３】
宅配ボックス５は、宅配ボックス制御回路５１（以下「宅配ボックス用制御回路５１」という。）および第１〜第６のボックス５２ａ〜５２ｆとを備えており、宅配ボックス用制御回路５１は、第１〜第６のボックス５２ａ〜５２ｆおよび第４の接続線Ｌ４を介して第４の通信回路３３ｄに接続されている。
【００２４】
管理室親機２は、図２に示すように、管理室親機表示部２１、管理室親機スピーカ２２ａおよび管理室親機マイク２２ｂを有する管理室親機ハンドセット２２、管理室親機拡声スピーカ２３、管理室親機表示部操作ボタン２４、管理室親機表示部駆動回路２１１、第１〜第３の管理室親機アンプ２２１、２２２、２３１、管理室親機音声合成回路２３２、管理室親機操作信号送出回路２４１、管理室親機ＣＰＵ２５、管理室親機ＣＯＤＥＣ回路２６、管理室通信インターフェイス（Ｉ／Ｆ）２７の各部（回路）を備えている。ここで、管理室親機ＣＰＵ２５は、管理室通信Ｉ／Ｆ２７、管理室親機表示部駆動回路２１１、管理室親機音声合成回路２３２および管理室親機操作信号送出回路２４１に接続され、管理室通信Ｉ／Ｆ２７には管理室親機ＣＯＤＥＣ回路２６および第２の接続線Ｌ２を介して第２の通信回路３３ｂが、管理室親機表示部駆動回路２１１には管理室親機表示部２１が、管理室親機音声合成回路２３２には、第３の管理室親機アンプ２３１を介して管理室親機拡声スピーカ２３が、管理室親機ＣＯＤＥＣ回路２６には第１の管理室親機アンプ２２１を介して管理室親機スピーカ２２ａおよび第２の管理室親機アンプ２２２を介して管理室親機マイク２２ｂが、管理室親機操作信号送出回路２４１には管理室親機表示部操作ボタン２４がそれぞれ接続されている。
【００２５】
居室親機４ａ、４ｂ・・・は、それぞれ同様の構成とされ、図３に示すように、ＬＣＤ等から成る居室親機表示部４１、居室親機スピーカ４２ａおよび居室親機マイク４２ｂを有する居室親機ハンドセット４２、居室親機拡声スピーカ４３、居室親機表示部操作ボタン４４、居室親機表示部駆動回路４１１、第１〜第３の居室親機アンプ４２１、４２２、４３１、居室親機音声合成回路４３２、居室親機操作信号送出回路４４１、居室親機ＣＰＵ４５、居室親機ＣＯＤＥＣ回路４６、居室親機通信Ｉ／Ｆ４７の各部（回路）を備えている。ここで、居室親機ＣＰＵ４５は、居室親機通信Ｉ／Ｆ４７、居室親機表示部駆動回路４１１、居室親機音声合成回路４３２および居室親機操作信号送出回路４４１に接続され、居室親機通信Ｉ／Ｆ４７には居室親機ＣＯＤＥＣ回路４６および第３の接続線Ｌ３を介して第３の通信回路３３ｃが、居室親機表示部駆動回路４１１には居室親機表示部４１が、居室親機音声合成回路４３２には、第３の居室親機アンプ４３１を介して居室親機拡声スピーカ４３が、居室親機ＣＯＤＥＣ回路４６には第１の居室親機アンプ４２１を介して居室親機スピーカ４２ａおよび第２の居室親機アンプ４２２を介して居室親機マイク４２ｂが、居室親機操作信号送出回路４４１には居室親機表示部操作ボタン４４がそれぞれ接続されている。
【００２６】
次に、このように構成された本発明の集合住宅インターホンシステムの動作について説明する 。なお、宅配ボックス５に配達物を入荷した場合並びに宅配ボックス５から配達物を取り出した場合の動作については、従来の集合住宅インターホンシステムの動作と同様であることから詳細な説明を省略し、ここでは、制御装置３の電源をＯＮにした場合、若しくは制御装置３をリセットした場合の動作を中心にして説明する。また、以下の実施例においては、居室親機４ａ（以下「第１の居室親機４ａ」という。）が設置されている居室（以下「第１の居室」という。）の部屋番号を第１の部屋番号とし、居室親機４ｂ（以下「第２の居室親機４ｂ」という。）が設置されている居室（以下「第２の居室」という。）の部屋番号を第２の部屋番号として説明する。
［実施例１］
先ず、配達先である第１の居室の居住者（以下「第１の居住者」という。）が不在の場合において、運送会社の宅配担当者が第１の宅配ボックス５２ａに配達物を入荷し、テンキー（不図示）等を用いて第１の部屋番号や配達物の入荷先等を入力すると、第１の部屋番号情報を含有する宅配ボックス情報（以下「第１の宅配ボックス情報」という。）が宅配ボックス用制御回路５１へ送信される。かかる第１の宅配ボックス情報が宅配ボックス用制御回路５１で検出されると、第１の宅配ボックス情報が宅配ボックス用制御回路５１のデータ書込部（不図示）に書き込まれる。同様にして、配達先である第２の居室の居住者（以下「第２の居住者」という。）が不在の場合において、運送会社の宅配担当者が第２の宅配ボックス５２ｂに配達物を入荷し、テンキー等を用いて第２の部屋番号や配達物の入荷先等を入力すると、第２の部屋番号情報を含有する宅配ボックス情報（以下「第２の宅配ボックス情報」という。）が宅配ボックス用制御回路５１へ送信され、かかる第２の宅配ボックス情報が宅配ボックス用制御回路５１で検出されると、第２の宅配ボックス情報が宅配ボックス用制御回路５１のデータ書込部に書き込まれる。以上のようにして、宅配ボックス用制御回路５１のデータ書込部には、第１〜第６のボックス５２ａ〜５２ｆに係る最新の宅配ボックス情報が書き込まれている。
【００２７】
このような状態において、制御装置３の電源をＯＦＦからＯＮにすると、若しくは制御装置３をリセットすると、制御装置宅配ボックス制御回路３２から宅配ボックス情報更新要求信号が第４の通信回路３３ｄおよび第４の接続線Ｌ４を経由して宅配ボックス用制御回路５１へ送信される。
【００２８】
かかる宅配ボックス情報更新要求信号が宅配ボックス用制御回路５１で検出されると、宅配ボックス用制御回路５１の制御により、第１〜第６のボックス５２ａ〜５２ｆに係る最新の宅配ボックス情報が順次読み出され、読み出された最新の宅配ボックス情報が前述の宅配ボックス情報更新要求信号と逆の経路を経由して制御装置宅配ボックス制御回路３２へ順次送信される。これにより、制御装置宅配ボックス制御回路３２内の宅配ボックス情報が最新の宅配ボックス情報として更新される。
【００２９】
次に、制御装置３の電源をＯＮにした時点、若しくは制御装置３をリセットした時点から例えば数秒程度経過すると、主制御回路３１から、主制御回路３１に設定されている例えば第１の部屋番号についての宅配ボックス使用状況確認信号（以下「第１の宅配ボックス使用状況確認信号」という。）が制御装置宅配ボックス制御回路３２へ送信され、かかる第１の宅配ボックス使用状況確認信号が制御装置宅配ボックス制御回路３２で検出されると、当該制御装置宅配ボックス制御回路３２の制御により、第１の宅配ボックス情報が読み出され、主制御回路３１へ返信される。
【００３０】
第１の宅配ボックス情報が主制御回路３１で検出されると、当該第１の宅配ボックス情報と、既に主制御回路３１のデータ書込部に書き込まれている第１の宅配ボックス情報とが照合され、両者の宅配ボックス情報が異なっている場合は、最新の第１の宅配ボックス情報が、第３の通信回路３３ｃ、第３の接続線Ｌ３、第１の居室親機４ａの居室親機通信Ｉ／Ｆ４７を介して居室親機ＣＰＵ４５へ送信される。
【００３１】
かかる最新の第１の宅配ボックス情報が居室親機ＣＰＵ４５で検出されると、居室親機ＣＰＵ４５の制御により、居室親機表示部駆動回路４１１が駆動され、居室親機表示部４１の着荷表示部（不図示）が点灯若しくは点滅する。また、居室親機音声合成回路４３２において、着荷情報の音声信号がミキサ（不図示）に出力され、当該着荷情報が第３の居室親機アンプ４３１を介して居室親機拡声スピーカ４３から音声情報がアナウンスされる。これにより、帰宅した第１の居住者に対して、第１の宅配ボックス５２ａに配達物が入荷していることや宅配物の入荷日、若しくは第１の宅配ボックス５２ａに配達物が滞留していることが報知される。ここで、第１の居住者が第１の宅配ボックス５２ａから配達物を取り出した場合には、宅配ボックス用制御回路５１から宅配取出信号が前述の第１の宅配ボックスと同様の経路を経由して第１の居室親機４ａへ送信され、これにより、居室親機表示部４１の着荷表示部が消灯する。
【００３２】
なお、制御装置宅配ボックス制御回路３２より受信した第１の宅配ボックス情報と、主制御回路３１のデータ書込部に書き込まれている第１の宅配ボックス情報とが一致している場合は、第１の宅配ボックス５２ａの使用状況が変化していないことになるから、第１の居室親機４ａに対しては宅配ボックス情報が送信されないことになる。
【００３３】
以上の処理は、主制御回路３１に設定されている居室の部屋番号順に所定の間隔間隔（例えば１０秒）をおいて行われる。
［実施例２］
次に、管理人等が管理室親機２の管理室親機表示部操作ボタン２４を押下すると、管理室親機操作信号送出回路２４１から全居室についての宅配ボックス使用状況確認信号（以下「全居室宅配ボックス使用状況確認信号」という。）が管理室親機ＣＰＵ２５へ送信され、かかる全居室宅配ボックス使用状況確認信号が管理室親機ＣＰＵ２５で検出されると、管理室親機ＣＰＵ２５から要求信号（以下「全居室要求信号」という。）が出力され、当該全居室要求信号が管理室親機通信Ｉ／Ｆ２７、第２の接続線Ｌ２、第２の通信回路３３ｂおよび主制御回路３１を経由して制御装置宅配ボックス制御回路３２へ送信される。
【００３４】
かかる当該全居室要求信号が制御装置宅配ボックス制御回路３２で検出されると、前述と同様の処理により、全居室についての宅配ボックス情報が読み出され、主制御回路３１へ返信される。
【００３５】
かかる全居室についての宅配ボックス情報は、前述と同様の処理により、既に主制御回路３１のデータ書込部に書き込まれている全居室についての宅配ボックス情報と返信された全居室についての宅配ボックス情報とが照合され、両者の宅配ボックス情報が異なっている場合のみ最新の全居室についての宅配ボックス情報が前述の全居室要求信号と逆の経路を経由して管理室親機ＣＰＵ２５へ送信される。かかる最新の全居室についての宅配ボックス情報が管理室親機ＣＰＵ２５で検出されると、管理室親機ＣＰＵ２５の制御により、管理室親機表示部駆動回路２１１が駆動され、管理室親機表示部２１の着荷表示部（不図示）が点灯若しくは点滅する。これにより、管理人等は、全居室についての宅配ボックスの使用状況を確認することができる。
【００３６】
ここで、前述の実施例においては、管理室親機表示部操作ボタン２４の押下操作により、管理室親機操作信号送出回路２４１から全居室についての宅配ボックス使用状況確認信号を送信する場合について説明しているが、集合住宅内の指定した居室、例えば第１の居室のみについての宅配ボックス使用状況確認信号を送信して第１の宅配ボックス５２ａのみの使用状況を確認してもよい。
［実施例３］
例えば第１の居室親機４ａの居室親機表示操作ボタン４４を押下すると、居室親機操作信号送出回路４４１から第１の居室親機４ａに係る宅配ボックス使用状況確認信号（以下「第１の居室親機使用状況確認信号」という。）が居室親機ＣＰＵ４５へ送信され、かかる第１の居室親機使用状況確認信号が居室親機ＣＰＵ４５で検出されると、居室親機ＣＰＵ４５から要求信号（以下「第１の居室親機使用状況要求信号」という。）が出力され、当該第１の居室親機使用状況要求信号が居室親機通信Ｉ／Ｆ４７、第３の接続線Ｌ３、第３の通信回路３３ｃおよび主制御回路３１を経由して制御装置宅配ボックス制御回路３２へ送信される。
【００３７】
そして、第１の居室親機使用状況要求信号が主制御回路３１で検出されると、前述と同様の処理により、第１の居室についての宅配ボックス情報が読み出され、主制御回路３１へ返信される。
【００３８】
かかる第１の居室についての宅配ボックス情報は、前述と同様の処理により、既に主制御回路３１のデータ書込部に書き込まれている第１の居室についての宅配ボックス情報と返信された第１の居室についての宅配ボックス情報とが照合され、両者の宅配ボックス情報が異なっている場合のみ、最新の第１の居室についての宅配ボックス情報が、前述の第１の居室宅配ボックス使用状況要求信号と逆の経路を経由して第１の居室親機ＣＰＵ４５へ送信される。かかる第１の居室についての宅配ボックス情報が居室親機ＣＰＵ４５で検出されると、前述と同様の処理により、居室親機表示部４１の着荷表示部が点灯若しくは点滅すると共に居室親機拡声スピーカ４３から音声情報がアナウンスされる。これにより、第１の居住者は、宅配ボックス５２に配達物が入荷していることや宅配物の入荷日、若しくは宅配ボックス５２に配達物が滞留していること等を知ることができる。
【産業上の利用可能性】
【００３９】
本発明の集合住宅インターホンシステムにおける好ましい実施の形態例においては、制御装置宅配ボックス制御回路３２内の宅配ボックス情報について、制御装置宅配ボックス制御回路３２より宅配ボックス情報更新要求信号を送信してから最新の宅配ボックス情報を受信しているが、宅配ボックス５から自動的に順次送信される宅配ボックス情報を受信し、受信前の宅配ボックス情報を最新の宅配ボックス情報として更新しても同様の効果を得ることができる。
【図面の簡単な説明】
【００４０】
【図１】本発明の一実施例における集合住宅インターホンシステムのシステム構成図。
【図２】図１に示す集合住宅インターホンシステムにおける管理室親機のブロック図。
【図３】図１に示す集合住宅インターホンシステムにおける居室親機のブロック図。
【符号の説明】
【００４１】
１・・・集合玄関機
２管理室親機
２４１・・・管理室親機操作信号送出回路
２５・・・管理室親機ＣＰＵ
３・・・制御装置
３１・・・主制御回路
３２・・・宅配ボックス制御回路
４ａ、４ｂ居室親機
４１・・・居室親機表示部
４４１・・・居室親機操作信号送出回路
４５・・・居室親機ＣＰＵ
５・・・宅配ボックス
【図１】
2005117429.tif 000003
【図２】
2005117429.tif 000004
【図３】
2005117429.tif 000005